(57)【要約】【課題】  タイリング分割された表示画面上において、ザッピング視聴やお好み番組を選択する際にリモコンのアクション数を少なくできるようにする。【解決手段】  少なくとも１つ以上のチューナで放送波を受信し、複数の番組映像をマトリクス状に配列して合成表示し、前記マトリクス状に配列された番組の１つを選択し、選択したフォーカス位置を、リモコンに具備されている多方向キーの操作状況に応じて操作するようにするとともに、前記マトリクス状に配列された番組に、お好み優先度を付加するとともに、前記付加したお好み優先度を判断するようにして、高優先と判断された番組を、所定のフォーカス位置に隣接するように再配置させるようにすることにより、ザッピング視聴やお好み番組を選択する際に、リモコンのアクション数を低減できるようにする。【選択図】  図１
2005167712.tif 000002
【特許請求の範囲】
【請求項１】
少なくとも１つ以上のチューナで放送波を受信し、複数の番組映像をマトリクス状に配列して合成表示するマルチ画面合成手段と、
前記マトリクス状に配列された番組の１つを選択するフォーカス手段と、
前記フォーカス手段を、リモコンに具備されている多方向キーの操作状況に応じて操作する選択操作手段と、
前記マトリクス状に配列された番組に、お好み優先度を付加する優先度付加手段と、
前記優先度付加手段により付加されたお好み優先度を判断する優先度判断手段と、
前記優先度判断手段により高優先と判断された番組を、所定のフォーカス位置に隣接するように再配置させる番組再配置手段とを有することを特徴とする番組表示装置。
【請求項２】
前記マトリクス状に配列された番組がカテゴリ分類されて配列されている場合、前記優先度付加手段はカテゴリ単位でお好み優先度の付加を行ない、前記番組再配置手段は前記カテゴリ単位で付加された優先度に基づいて番組再配置を実行することを特徴とする請求項１に記載の番組表示装置。
【請求項３】
前記マトリクス状に配列された番組がカテゴリ分類されて配列されている場合、前記優先度付加手段はすべての配列番組を対象として行ない、前記番組再配置手段は前記すべての配列番組を対象として付加された優先度に基づいて番組再配置を実行することを特徴とする請求項１に記載の番組表示装置。
【請求項４】
前記マトリクス状に配列された番組において、ユーザが好みに応じた所定のブックマークを番組に付加するマーク付加手段と、
前記マーク付加手段によりブックマークが付加された番組の優先度を高優先に変更する優先度変更手段とを有し、
前記番組再配置手段は、前記優先度変更手段によって変更された優先度に基づいて番組の配置を更新することを特徴とする請求項１〜３の何れか１項に記載の番組表示装置。
【請求項５】
前記所定のブックマークは、ユーザが好みの番組と判断したことを表すブックマーク、またはユーザが好みでないと番組と判断したことを表すブックマークの何れかであることを特徴とする請求項４に記載の番組表示装置。
【請求項６】
前記マトリクス状に配列された番組が仮想画面によって表示される場合、配列状態とユーザの操作サポートを明示した操作支援ＧＵＩとを連動表示させることを特徴とする請求項１〜５の何れか１項に記載の番組表示装置。
【請求項７】
少なくとも１つ以上のチューナで放送波を受信し、複数の番組映像をマトリクス状に配列して合成表示するマルチ画面合成工程と、
前記マトリクス状に配列された番組の１つを選択するフォーカス工程と、
前記フォーカス工程において選択されるフォーカス位置を、リモコンに具備されている多方向キーの操作状況に応じて操作する選択操作工程と、
前記マトリクス状に配列された番組に、お好み優先度を付加する優先度付加工程と、
前記優先度付加工程により付加されたお好み優先度を判断する優先度判断工程と、
前記優先度判断工程により高優先と判断された番組を、所定のフォーカス位置に隣接するように再配置させる番組再配置工程とを有することを特徴とする番組表示方法。
【請求項８】
前記マトリクス状に配列された番組がカテゴリ分類されて配列されている場合、前記優先度付加工程はカテゴリ単位でお好み優先度の付加を行ない、前記番組再配置工程は前記カテゴリ単位で付加された優先度に基づいて番組再配置を実行することを特徴とする請求項７に記載の番組表示方法。
【請求項９】
前記マトリクス状に配列された番組がカテゴリ分類されて配列されている場合、前記優先度付加工程はすべての配列番組を対象として行ない、前記番組再配置工程は前記すべての配列番組を対象として付加された優先度に基づいて番組再配置を実行することを特徴とする請求項７に記載の番組表示方法。
【請求項１０】
前記マトリクス状に配列された番組において、ユーザが好みに応じた所定のブックマークを番組に付加するマーク付加工程と、
前記マーク付加工程によりブックマークが付加された番組の優先度を高優先に変更する優先度変更工程とを有し、
前記番組再配置工程は、前記優先度変更工程によって変更された優先度に基づいて番組の配置を更新することを特徴とする請求項７〜９の何れか１項に記載の番組表示方法。
【請求項１１】
前記所定のブックマークは、ユーザが好みの番組と判断したことを表すブックマーク、またはユーザが好みでないと番組と判断したことを表すブックマークの何れかであることを特徴とする請求項１０に記載の番組表示方法。
【請求項１２】
前記マトリクス状に配列された番組が仮想画面によって表示される場合、配列状態とユーザの操作サポートを明示した操作支援ＧＵＩとを連動表示させることを特徴とする請求項７〜１１の何れか１項に記載の番組表示方法。
【請求項１３】
少なくとも１つ以上のチューナで放送波を受信し、複数の番組映像をマトリクス状に配列して合成表示するマルチ画面合成工程と、
前記マトリクス状に配列された番組の１つを選択するフォーカス工程と、
前記フォーカス工程において選択されるフォーカス位置を、リモコンに具備されている多方向キーの操作状況に応じて操作する選択操作工程と、
前記マトリクス状に配列された番組に、お好み優先度を付加する優先度付加工程と、
前記優先度付加工程により付加されたお好み優先度を判断する優先度判断工程と、
前記優先度判断工程により高優先と判断された番組を、所定のフォーカス位置に隣接するように再配置させる番組再配置工程の各処理をコンピュータに実行させることを特徴とするコンピュータプログラム。
【請求項１４】
前記請求項１３に記載のコンピュータプログラムを記録したことを特徴とするコンピュータ読み取り可能な記録媒体。
【発明の詳細な説明】
【技術分野】
【０００１】
本発明は番組表示方法、番組表示装置、コンピュータプログラム及びコンピュータ読み取り可能な記録媒体に関し、特に、デジタル放送を受信し、番組映像をマトリックス状に配置したマルチ画面表示から直接番組を選択するために用いて好適な番組選局方法および装置に関する。
【背景技術】
【０００２】
放送の多チャンネル化を実現したデジタル放送の番組選択手法として、放送から取得した番組情報を画面上に表示し、その画面上から選局を行なうことができるＥＰＧ（電子プログラムガイド）と呼ばれる新たな選局方法が実用化されている。
【０００３】
これは、新聞などのテレビ欄を電子化したものであり、一般的には、時間軸と放送チャンネル軸の２次元マトリクス表示に、文字による番組情報を付加したものである。このＥＰＧから番組選局は、ユーザが手持ちのリモコンを使って、番組表に表示されたカーソル移動によって、番組を指定するものである。
【０００４】
しかし、このＥＰＧ表示からの番組選局は、明確な目的をもって見たい番組を探す場合は非常に好適な手段であるが、気軽に画面を見ながらお好みの番組を直観的に選択したい場合は、従来のアナログ放送における感覚での操作感を得ることができない可能性がある。
【０００５】
これに対応した直観的な選局を実現する従来例として、１つのチューナを時分割に制御し、準動画の巡回的な切り替え表示を行なうことで、子画面の分割数を放送番組数分に増やした、図２に示したようなタイリング表示画面（操作画面で、複数のウインドを、各ウインドが重ならないようにタイル状に並べて表示した画面）を有したマルチ画面テレビなども実用化されている。この場合、ユーザはリモコンの上下左右キーに連動して表示される、画面選択カーソルによって番組を直接選択することが可能となる
【０００６】
しかしながら、前記従来技術のような番組数分の画面分割を行ったマルチ画面表示は、数１０ｃｈのアナログ放送では十分に対応できたが、数１００ｃｈの多チャンネル化が予定されているデジタル放送では、画面分割数を増やせないという問題がある。
【０００７】
また、分割数を増やすことにより、１つの子画面の表示解像度が低くなることで視認性が悪くなってしまうなどの問題も生じていた。この問題への対処として、図２に示したようにタイリング分割画面数を選択された数１０ｃｈ分に絞って表示するか、表示しきれない番組がある場合は、特許文献１に開示されているように、図２のタイリング画面を表示画面とし、それ以外の番組は仮想画面としてスクロール表示により切り換えるようにする手法がある。
【０００８】
【特許文献１】特開平８−２７９９９５号公報
【発明の開示】
【発明が解決しようとする課題】
【０００９】
しかしながら、前述した従来例の場合は、いずれの方法においても、ユーザがタイリング分割画面上からお好み番組を選択する場合、リモコン操作によりカーソル移動の繰り返しが生じることが必須である。この場合、ユーザのお好み番組の配置されている表示位置が、現在フォーカスされている画面選択カーソルの位置から離れれば離れるほど、何度も上下左右キーを操作していかなければ選択番組までたどり着くことができない問題があった。
【００１０】
この問題は、多チャンネル化により分割画面数が増えれば増えるほど顕著になる。更に、ユーザのテレビ視聴の典型的なスタイルとして、明確な番組指定の選局ではなく、現在放送中の番組を適当に切り替えながら面白そうな番組を選択する、いわゆるザッピング視聴というものがある。
【００１１】
前記のようなザッピング視聴を行なう場合、前記のようにリモコンの操作回数が増えることによる操作性の低下は、ユーザがアナログテレビ時代から慣れ親しんだ、少ないリモコン操作での快適な番組選択を妨げるものであり、デジタル放送による多チャンネル時代になっても、少ないリモコン操作での快適な番組選択を実現するための更なる改善と工夫が望まれていた。
【００１２】
本発明は前述の問題点にかんがみ、タイリング分割された表示画面上において、ザッピング視聴やお好み番組を選択する際に、リモコンのアクション数を少なくできるようにすることを目的とする。
【課題を解決するための手段】
【００１３】
本発明の番組表示装置は、少なくとも１つ以上のチューナで放送波を受信し、複数の番組映像をマトリクス状に配列して合成表示するマルチ画面合成手段と、
前記マトリクス状に配列された番組の１つを選択するフォーカス手段と、
前記フォーカス手段を、リモコンに具備されている多方向キーの操作状況に応じて操作する選択操作手段と、
前記マトリクス状に配列された番組に、お好み優先度を付加する優先度付加手段と、
前記優先度付加手段により付加されたお好み優先度を判断する優先度判断手段と、
前記優先度判断手段により高優先と判断された番組を、所定のフォーカス位置に隣接するように再配置させる番組再配置手段とを有することを特徴としている。
また、本発明の他の特徴とするところは、前記マトリクス状に配列された番組がカテゴリ分類されて配列されている場合、前記優先度付加手段はカテゴリ単位でお好み優先度の付加を行ない、前記番組再配置手段は前記カテゴリ単位で付加された優先度に基づいて番組再配置を実行することを特徴としている。
また、本発明のその他の特徴とするところは、前記マトリクス状に配列された番組がカテゴリ分類されて配列されている場合、前記優先度付加手段はすべての配列番組を対象として行ない、前記番組再配置手段は前記すべての配列番組を対象として付加された優先度に基づいて番組再配置を実行することを特徴としている。
また、本発明のその他の特徴とするところは、前記マトリクス状に配列された番組において、ユーザが好みに応じた所定のブックマークを番組に付加するマーク付加手段と、
前記マーク付加手段によりブックマークが付加された番組の優先度を高優先に変更する優先度変更手段とを有し、
前記番組再配置手段は、前記優先度変更手段によって変更された優先度に基づいて番組の配置を更新することを特徴としている。
また、本発明のその他の特徴とするところは、前記所定のブックマークは、ユーザが好みの番組と判断したことを表すブックマーク、またはユーザが好みでないと番組と判断したことを表すブックマークの何れかであることを特徴としている。
また、本発明のその他の特徴とするところは、前記マトリクス状に配列された番組が仮想画面によって表示される場合、配列状態とユーザの操作サポートを明示した操作支援ＧＵＩとを連動表示させることを特徴としている。
【００１４】
本発明の番組表示方法は、少なくとも１つ以上のチューナで放送波を受信し、複数の番組映像をマトリクス状に配列して合成表示するマルチ画面合成工程と、
前記マトリクス状に配列された番組の１つを選択するフォーカス工程と、
前記フォーカス工程において選択されるフォーカス位置を、リモコンに具備されている多方向キーの操作状況に応じて操作する選択操作工程と、
前記マトリクス状に配列された番組に、お好み優先度を付加する優先度付加工程と、
前記優先度付加工程により付加されたお好み優先度を判断する優先度判断工程と、
前記優先度判断工程により高優先と判断された番組を、所定のフォーカス位置に隣接するように再配置させる番組再配置工程とを有することを特徴としている。
【００１５】
本発明のコンピュータプログラムは、少なくとも１つ以上のチューナで放送波を受信し、複数の番組映像をマトリクス状に配列して合成表示するマルチ画面合成工程と、
前記マトリクス状に配列された番組の１つを選択するフォーカス工程と、
前記フォーカス工程において選択されるフォーカス位置を、リモコンに具備されている多方向キーの操作状況に応じて操作する選択操作工程と、
前記マトリクス状に配列された番組に、お好み優先度を付加する優先度付加工程と、
前記優先度付加工程により付加されたお好み優先度を判断する優先度判断工程と、
前記優先度判断工程により高優先と判断された番組を、所定のフォーカス位置に隣接するように再配置させる番組再配置工程の各処理をコンピュータに実行させることを特徴としている。
【００１６】
本発明の記録媒体は、前記に記載のコンピュータプログラムを記録媒体したことを特徴としている。
【００１７】
本発明によれば、前記マトリクス状に配列された番組を、エージェントプログラムにより優先度付けを行ない、高優先と判断されたお好み番組を画面選択フォーカス位置に隣接した状態に再配置させ、多方向キーを具備したリモコンにより選択可能としたので、リモコンのアクション数を低減することが可能となり、ザッピング視聴やお好み番組のすばやい選択が可能なる。
【発明の効果】
【００１８】
本発明によれば、タイリング分割された表示画面上からの番組選択において、エージェントプログラムやユーザの直接的な取捨選択により優先度が大きく設定されたお好み番組を、画面選択フォーカス位置の近傍に再配置させるようにすることができ、多方向キーを具備したリモコンにより選択する際に、ユーザは少ないリモコンのアクション数で所望の番組を選択することができる。これにより、ザッピング視聴やお好み番組のすばやい選択が可能となり、多チャンネル化したデジタル放送に対しても、数１０チャンネルしかないアナログ放送時代と同様な番組選択の操作性を得ることができる。
【発明を実施するための最良の形態】
【００１９】
（第１の実施の形態）
図１に、本発明に係わる表示システムのブロック図を示す。
＜各部の説明＞
本実施の形態は、２つの独立した番組映像ソースを、あらかじめ決められた所定のレイアウトに基づいて、１つの表示装置に合成表示できるように構成している。これら番組映像ソースは、２つよりさらに多い数でも、また少ない数でもよい。
【００２０】
図１の各ブロックの説明を行なう。
図１において、１はアンテナ（パラボラアンテナ）で、ＢＳデジタル放送やＣＳデジタル放送を受波する。本実施の形態では衛星放送を例にしているが、地上波、光ケーブルなどから受信してもよい。
【００２１】
２−１及び２−２はチューナ部であり、帯域フィルタ、ダウンコンバータなどを通過させた後、復調部３−１及び３−２へ出力する。ここでは、伝送形態に合致した復調処理を施すと共に、誤り訂正処理などを行ない、所望のＭＰＥＧ２トランスポートストリームを、デマルチプレクサ４−１及び４−２に受け渡す。
【００２２】
デマルチプレクサ４−１及び４−２は、前記トランスポートストリームから、所望の番組のＭＰＥＧ２の映像データと、ＭＰＥＧ２の音声データと、付加情報とに分離する。分離されたＭＰＥＧ２の音声データは、図示しない音声デコーダで復号され、オーディオ信号として出力される。これにより、アンプ及びスピーカーを接続すれば受信した番組の音声を聞くことができる。
【００２３】
また、分離されたＭＰＥＧ２の映像データは、映像デコーダ５−１及び５−２で復号され、ラスタースキャン形式の表示フォーマットに変換された後、番組映像ソースとして後段の拡大縮小部６−１及び６−２に受け渡される。その後、更に、分離されたＭＰＥＧ２の付加情報は１２の制御部へ受け渡される。
【００２４】
前記付加情報がＢＳデジタル放送で運用が予定されているデータ放送の場合は、制御部１２はＢＭＬ（Broadcast Markup Language）言語を解釈し、マルチメディア情報サービス提供者の構造化されたコンテンツシナリオを得る。また、前記付加情報がＥＰＧ（Electrical Program Guide）情報の場合は、制御部１２はＰＳＩ／ＳＩ情報を解釈し番組情報（例えば、番組、放送時間、タイトル、カテゴリ等）を得る。
【００２５】
６−１及び６−２は拡大縮小部であり、ＹＵＶの色差信号からＲＧＢ信号に変換するマトリックス回路や走査方式をインタレースからプログレッシブに変換するＩ-Ｐ変換回路などの前処理を行った後、制御部１２が表示フォーマット（表示ライン数やドット数、色数）とあらかじめプリセットされた画面レイアウト情報に基づいて、解像度変換パラメータ（拡大率・縮小率・拡大縮小の重み付けフィルタ係数など）を設定することで拡大・縮小・等倍処理を行なう。
【００２６】
７はメモリ制御部で、拡大縮小部６−１及び６−２からの入力レート（入力側の水平・垂直同期信号に同期した転送レート）で受け取った映像データを共有メモリ８に書き込む制御を行なうと同時に、後述する合成部９からの表示装置の出力レート（出力側の水平・垂直同期信号に同期した表示レート）で共有メモリ８から読み出す制御を行なう。
【００２７】
また、メモリ制御部７は、前記のような動画映像の処理のみならず、静止画的なＯＳＤデータのメモリ描画制御も行なう。このＯＳＤデータは、制御部１２がＯＳＤ生成部１５にＧＵＩ（Graphical User Interface）としてのＯＳＤデータの描画命令を実行することにより生成され、メモリ制御部７により共有メモリ８の展開される。
【００２８】
前記のような共有メモリ８への書き込み制御と読み込み制御は完全に非同期で実行される。メモリ制御部７は、制御部１２がメモリ制御パラメータ（入力データのメモリへのキャプチャ領域、出力データのメモリからの読み出し領域など）設定することで前記動作を実行する。
【００２９】
共有メモリ８は、メモリ制御部７によりアドレス管理され、本実施の形態では少なくても表示画像１面分におけるメモリサイズの２つの動画プレーンと１つのＯＳＤプレーンの３プレーン構造で構成されている。
【００３０】
合成部９は、メモリ制御部７から読み出された２つの画像データを合成する演算ユニットである。制御部１２の画面レイアウト情報を元に表示タイミングに同期して、適宜共有メモリ８の各プレーンから映像データ、および、ＯＳＤデータを読み出してマルチ画面の合成を実行する。
【００３１】
１０は表示制御部で、表示装置１１の特性に応じた表示駆動の制御、表示フォーマット変換を行なう。また、表示制御部１０には出力タイミング生成部が構成されている。これは、表示装置１１のタイミング制御信号を生成することが主な役割で、基準クロックを基に、出力側の水平同期信号と出力側の垂直同期信号を生成し、合成部９側にもこれを受け渡す。
【００３２】
１１は表示装置であり、デバイスはマトリクス電極構造を持つフラットパネル（液晶、プラズマ等）でも、CRTでも画像を表示するデバイスであれば何でもよい。本実施の形態のアプリケーションに適用するには、７２０Ｐ以上のハイビジョン映像を表示できる大画面高精細ディスプレイが好適である。
【００３３】
１２は本システム全体を制御するシステム制御部であり、演算能力を持つＣＰＵのデータを一時格納するＲＡＭ１４、制御プログラムを格納するＲＯＭ１３、時間を計測するカウンタ、周辺入出力インタフェース等を有している。また、制御部１２は論理ロジックのみで構成されていても、ＣＰＵや並列演算が可能なメディアプロセッサであってもよい。
【００３４】
制御を行なうプログラムはＲＯＭ１３に内蔵されていてもよいし、周辺入出力インタフェースを介して外部から転送されてもよい。また、制御部１２にはリモコン受光部１６が接続され、赤外線を用いたリモコン１７のコマンドを受け付けることができる。このリモコン１７によりユーザの操作アクションを受け付けられる。
【００３５】
以下、前記各部の番号と照らし合わせて本発明の表示システムの動作を説明する。なお、下記に説明するフローチャートはすべて制御部１２の動作である。
＜タイリング分割画面を用いた通常の番組選局＞
ここで本実施の形態における具体的なアプリケーションをイメージした典型的な表示例を２つ示す。
【００３６】
１つ目の例は、図４のような表示画面上にタイリング分割表示したもので、横軸にチャンネル、縦軸に番組のカテゴリをＯＳＤ表示し、ユーザはこの「３×３」のマトリクスから直観的に番組選択が可能となっている。図４の例では、ＯＳＤにより付加された画面選択枠を、８方向キーを具備したリモコンでフォーカス移動することにより番組選択が可能となっている。
【００３７】
２つ目の例は、図５のような表示画面上では主画面と子画面の２画面マルチ画面とし、子画面は図４で示したタイリング分割画面の画面選択がされた番組が表示され、残りのタイリング分割画面は仮想画面表示となっているものである。
【００３８】
また、仮想画面表示においては、ユーザはタイリング分割画面であることは表示画面上では分からないので、例に示したように仮想画面の構成が容易に分かるような簡易的な仮想画面サポートＧＵＩをＯＳＤ表示させている。
【００３９】
この場合、ユーザは主画面で番組を見つつ、裏画面のチェックを、「３×３」のマトリクスの仮想画面から図４と同様に、８方向キーを持ったリモコンでフォーカス移動することにより番組選択が可能となっている。この場合の、画面選択枠は仮想画面サポートＧＵＩ上でフォーカス移動することが図４の例との相違点である。
【００４０】
以下に、前記画面の形成方法を、図３の電源投入時のシステム初期化動作を説明するフローチャートを用いて説明する。
ステップＳ１００で電源投入を検知すると、制御部１２は、ステップＳ１０１で画面レイアウト情報をＲＯＭ１３から取得する。
【００４１】
ここで、前記画面レイアウト情報とは、図４及び図５に示したような主画面１つと子画面１つの画面レイアウトのみならず、同時にオーバーレイするＯＳＤデータの文字フォント、色、位置など、すべての初期化時のレイアウト情報を含む。これらの情報はＲＡＭ１４に記憶される。
【００４２】
次に、ステップＳ１０２では、前記ステップＳ１０２で取得した主画面に配置表示するレイアウト情報から、主画面に割り振られた映像入力処理系に対応する拡大縮小部６−１及び６−２、メモリ制御部７、合成部９に対して表示位置パラメータの設定を行なう。
【００４３】
次に、ステップＳ１０３では、前記取得した子画面に配置表示するレイアウト情報から、子画面に割り振られた映像入力処理系に対応する拡大縮小部６−１及び６−２、メモリ制御部７、合成部９に対して表示位置パラメータの設定を行なう。
【００４４】
次に、ステップＳ１０４では、番組配列情報の作成を行なう。番組配列情報とは、図４及び図５の例では「３×３」のマトリクスに現在表示可能な番組を、制御部１２が放送から取得した番組情報を元にフィルタリングし、カテゴリ別にタイリング分割して配列させるための番組名と分割画面位置との対応情報を意味している。
【００４５】
また、実際に表示画面を形成する際に、２つのチューナのどちらを使うかを決定する。これに関しては、図４の例では、画面選択枠が付加されたフォーカス画面を主画面（動画表示）、残りの分割画面は子画面（準動画表示）として使い分ける。図５の例では表示上は２画面なので主画面と子画面は動画表示である。
【００４６】
次に、ステップＳ１０５では、前記ステップＳ１０１で取得したＯＳＤのレイアウト情報を元に、制御部１２はＯＳＤ生成部１５に描画命令を発行し、図４及び図５に示したようなＯＳＤデータを共有メモリ８に展開する。
【００４７】
次に、ステップＳ１０６では、ステップＳ１０４で決定したチューナの使い分けにより選局制御を行なう。この選局制御とは、チューナ部２−１及び２−２、復調部３−１及び３−２、デマルチプレクサ４−１及び４−２、映像デコーダ５−１及び５−２までの選局に係わる一連のパラメータ変更のすべてを意味する。
【００４８】
次に、ステップＳ１０７で、表示をイネーブルにすることで初期画面が表示される。
次に、ステップＳ１０８ではユーザアクションの待ち状態になっており、次のステップＳ１０９でリモコン１７によりフォーカス移動があった場合は、ステップＳ１１０では移動方向に応じて変更しなければならない画面レイアウト情報を更新し、以降は同様にステップＳ１０２〜ステップＳ１０９の動作を繰り返し行なう。
【００４９】
以上の各ステップの処理により、図４及び図５のようなタイリング分割画面からのリモコンと連動した番組選択の通常動作が実現することができる。具体的には、ユーザは好みの番組が見つかった場合、画面選択枠の（図示しない）決定動作を行なうことで、例えば、図４の例では、タイリング分割画面から選択された画面を全画面表示へ切り換えることができる。
【００５０】
また、図５の例では、仮想画面サポートＧＵＩから選択された画面により、子画面を主画面表示へ切り換えることができる。
また、以降に説明する本発明の適用対象となる表示例は、前記２つの例に限定されるものではなく、マトリクス状に配列されたタイリング分割画面であれば何でもよい。
【００５１】
＜ザッピング視聴時の選局方法＞
前述したようなカテゴリとチャンネルによりマトリクス化されたタイリング分割画面は、目的をもって番組選択を行なう場合は非常に好適な手段となるが、ザッピング視聴のような、面白そうな番組をアナログテレビの感覚ですばやく選択したい場合は、目的の番組を選択するまでのリモコンのアクション数（本実施の形態では多方向キーを押す回数）が増えてしまうため好適とはいえない。
【００５２】
例えば、図４及び図５のような「３×３」のマトリクスの場合、現在のフォーカス位置がマトリクスの中心にあるので、周囲の画面へのカーソル移動は、８方向キーなら１アクション、４方向キーなら１及び２アクションで済む。
【００５３】
しかし、これ以上の分割数のマトリクスでタイリング分割画面を構成した場合は、分割数に比例して、一番離れた番組を選択するアクション数が増加する。特に、ザッピング視聴の場合は、マトリクス内をランダムにカーソル移動を繰り返す可能性が高いため、ユーザの操作性が著しく損なわれる可能性が高い。
【００５４】
前記問題を解決する方法について、ザッピング視聴時における分割画面の再配置処理の一例を、図６のフローチャートを用いて以下に説明する。
前述したタイリング分割画面を用いた通常モードでの選局動作中に、ステップＳ２００でユーザがザッピング視聴モードを選択した場合、ステップＳ２０１で現在の番組配列情報をＲＡＭ１４から取得する。
【００５５】
この状態でのイメージを図７(Ａ)に示す。この例では、番組Ａ〜Ｔまでの２０番組が、「５×４」のマトリクスに４種類のカテゴリに分類されている。
次に、ステップＳ２０２では、このカテゴリを固定してザッピング視聴を行なうか否かをユーザに決めてもらう。
【００５６】
そして、カテゴリ固定のザッピング視聴が選択された場合は、次のステップＳ２０３で、制御部１２に実装されたエージェントプログラムがカテゴリ単位に優先度を付加する。この優先度の決定方法までは本実施の形態では限定しないが、一例として、過去の視聴履歴やユーザの事前登録によるお好みキーワードなど制御部１２が管理するユーザプロファイルを用いて、それに該当するものから高い優先度を付加していく方法などが挙げられる。
【００５７】
本実施の形態では、優先度が高い順に「１」、「２」、「３」、「４」及び「５」と数値を与えている。この状態でのイメージを図７(Ｂ)に示す。それぞれのカテゴリ別に優先度が付加されている様子が分かる。
【００５８】
続いて、ステップＳ２０３において、タイリング分割画面のどこを画面選択枠の初期フォーカス位置とするかを決定する。この初期フォーカス位置は多方向リモコンの操作範囲が広く取れる図７(Ｂ)のようなタイリング分割画面の中心にする方が好適であるが、これに限定されるものではない。
【００５９】
次に、ステップＳ２０５では、付加された優先度情報と画面選択枠の初期フォーカス位置を元に、フォーカス位置からリモコンのアクション数が少ない分割位置に優先度の高い番組を集結させる番組配列情報の再配置を実行する。この状態でのイメージを図７(Ｃ)に示す。
【００６０】
これは、フォーカスされた、「番組Ｊ」を中心に、８方向キーの１アクション範囲に、カテゴリ配列を崩さずにお好みの番組が配置されていることを示している。このように、カテゴリ配列を崩さずにお好みの番組の再配置をする方法は、好きなカテゴリの中からザッピング視聴をような使い方をする場合において、ユーザの操作性を高める場合の有効な手段となる。
【００６１】
次に、ステップＳ２０２の判断の結果、カテゴリ固定でないと判断された場合について説明する。このケースは、カテゴリによらず満遍なく番組をザッピング視聴したいというユーザ要求に答えるモードである。
【００６２】
ステップＳ２０８〜ステップＳ２１０に至るまでの処理方法は、前述したカテゴリ固定によるタイリング画面の再配置処理と同じであるので、差異部分だけ以下に説明する。
ステップＳ２０８での優先度の付加方法は、カテゴリフリーのため「５×４」の分割数から優先度の高い順に「１〜２０」と数値を与えている。図８(Ｂ)に、この状態でのイメージを示す。
【００６３】
次に、ステップＳ２１０で、「５×４」の分割数のすべてに適用したカテゴリフリーの再配置処理処理を施すことで、フォーカス位置からリモコンのアクション数が少ない分割位置に、同様に優先度の高い番組を集結できる。この状態でのイメージを図８(Ｃ)に示す。
【００６４】
このように、カテゴリ配列を崩してお好みの番組の再配置をする方法は、満遍なくザッピング視聴をような使い方をする場合において、ユーザの操作性を高める場合の有効な手段となる。
【００６５】
いずれのモードにおいても、タイリング分割画面を用いたザッピング視聴時に、ユーザは再配置されたお好み領域を中心に、リモコンの少ないアクションで番組選択を行なうことが可能となる。
【００６６】
（第２の実施の形態）
前記した第１の実施の形態では、エージェントプログラムがタイリング分割画面の優先度を決定していたが、ユーザのザッピング視聴時に、エージェントがお勧めしてきた番組が気に入らなかったり、お勧めしてない番組が気に入ったりするケースも考えられる。
【００６７】
このような場合、ユーザ自身で番組映像を見てお気に入りの番組や、気に入らない番組を取捨選択できるような仕組みが盛り込まれると更なるザッピング視聴の操作性が向上できる。
【００６８】
そこで、本実施の形態では、この点を解決する方法について、ユーザ指定における分割画面の再配置処理について、図９のフローチャートを用いて説明する。説明する動作イメージを分かりやすくするために、図７(Ｃ)のカテゴリ固定でエージェントによる再配置が実行された状態から説明する。
【００６９】
この状態で、ステップＳ３００では、フォーカス移動のユーザアクションがあるか判断する。ある場合は、ステップＳ３０１に進み、フォーカス枠のＯＳＤの再描画と、現在のフォーカス位置を変更するフォーカス移動処理を行なう。
【００７０】
次に、ステップＳ３０２では、フォーカス移動を行った際に、その番組が気になり、ザッピング視聴の対象としてブックマークしたいとユーザが考えるか否かをを判断する。この判断の結果、ブックマークしたいと考えた場合、"好きマーク"を付加するユーザアクションを行なうことができる。"好きマーク"のブックマークが要求された場合、ステップＳ３０３で"好きマーク"のアイコンを付加するＯＳＤを付加すると共に、番組配列情報にユーザの選択情報を書き込む。
【００７１】
また、それとは逆にステップＳ３０４では、エージェントプログラムがお好みと判断しても、番組内容を見て、その番組は特に見たいとは思わないと考え、ザッピング視聴の対象としてはずしたいとユーザが考えた場合、"嫌いマーク"を付加するユーザアクションを行なうことができる。"好きマーク"のブックマークが要求された場合、ステップＳ３０５で"嫌いマーク"のアイコンを付加するＯＳＤを付加すると共に、番組配列情報にユーザの非選択情報を書き込む。この状態でのイメージを図１０(Ａ)に示す。
【００７２】
そして、このような作業を行ない、自分のザッピング対象の番組が絞れた時、ユーザがステップＳ３０６の再配置アップデート要求を行った場合、ステップＳ３０７で優先度変更を行なう。
【００７３】
この場合の優先度変更方法の一例について説明する。制御部１２は以下の変更ルールに基づいて、優先度変更を行なう。
(１)ユーザが付けた"好きマーク"は最高優先度に変更する。
（２）ユーザが付けた"嫌いマーク"は最低優先度に変更する。
（３）"好きマーク"が複数ある場合、エージェントがお好みと選択した番組を優先する。
（４）"嫌いマーク"が複数ある場合、エージェントがお好みと選択した番組を優先する。
（５）前記ルール（３）〜ルール（４）で判断できない場合は変更前の優先度を参照する。
【００７４】
このようなルールで、カテゴリ固定で優先度を変更した場合の例を図１０（Ｂ）に示す。スポーツカテゴリでは、前記ルール（１）の適用で番組Ｄが最高優先になっている。映画カテゴリでは、前記ルール（２）と前記ルール(５)の適用で番組Ｇが最低優先、番組Ｈが２番目に最低優先になっている。ニュースカテゴリでは、前記ルール（１）と前記ルール（３）の適用で番組Ｍが最高優先、番組Ｋが２番目に最高優先になっている。ドラマカテゴリはブックマークがないのでそのままである。
【００７５】
次に、ステップＳ３０７で番組配列情報の再配置処理を行ない、ステップＳ３０８で、表示のアップデートを行なうと、フォーカス位置からリモコンのアクション数が少ない分割位置に、"好きマーク"を付加した番組を含み、優先度の高い番組を集結できる。当然、"嫌いマーク"を付加した番組は、フォーカス近傍から離れた位置に飛ばされる。この状態でのイメージを図１０(Ｃ)に示す。
【００７６】
以上はカテゴリ固定での例として説明したが、前記実施の形態で説明したカテゴリフリーのケースの場合も、同様の手段が適用できるのは言うまでもない。更に、前記の優先度変更方法はあくまで一例であり、これ以外の方法も適用することは可能である。
【００７７】
以上のような手順を行なうことで、タイリング分割画面を用いたザッピング視聴時に、ユーザはよりお好み度合いが高まった再配置されたお好み領域を中心に、リモコンの少ないアクションで番組選択を行なうことが可能となる。
【００７８】
（その他の実施の形態）
前記第１の実施の形態及び第２の実施の形態では、カテゴリ固定、カテゴリフリーの２つに分けて説明してきたが、この２つのモードは混在して適用されるものであってもよい。更には、本実施の形態の優先度によるお好み番組の再配置と図７(Ａ)、図８（Ａ）のような通常の番組配置における２つの配置モードは混在して適用されるものであってもよい。
【００７９】
また、タイリング分割画面の番組配列方法は、横軸にチャンネル、縦軸にカテゴリという画面形成を例にしたが、横軸にカテゴリ、縦軸にチャンネルとしても構わない。更には、カテゴリ単位で番組を分類するのではなく、ＢＳデジタル放送、ＣＳデジタル放送、地上波デジタル放送などの放送の種別に分ける方法や、ハードディスクに記録された番組と現在の生番組という分類で分ける方法も当然考えられる。
【００８０】
また、再配置後にリモコンのアクションが開始するフォーカス位置を、タイリング分割画面の中心にするような例を説明したが、この位置に限定されるものではなく、表示アプリケーションにより好きな位置に設定可能であることは言うまでもない。
【００８１】
更に、本実施の形態のリモコンキーは、上下左右キーや８方向キーなどの多方向キーを例にしているが、マトリクス状に配置された１０キーを方向キーとして代用する事も可能である。いずれの場合においても、同様の効果が期待できるものである。
【００８２】
（本発明のその他の実施形態）
前述した実施形態の機能を実現するべく各種のデバイスを動作させるように、前記各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００８３】
また、この場合、前記ソフトウェアのプログラムコード自体が前述した実施形態の機能を実現することになり、そのプログラムコード自体、およびそのプログラムコードをコンピュータに供給するための手段、例えば、かかるプログラムコードを格納した記録媒体は本発明を構成する。かかるプログラムコードを記録する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００８４】
また、コンピュータが供給されたプログラムコードを実行することにより、前述の実施形態の機能が実現されるだけでなく、そのプログラムコードがコンピュータにおいて稼働しているＯＳ（オペレーティングシステム）あるいは他のアプリケーションソフト等と共同して前述の実施形態の機能が実現される場合にもかかるプログラムコードは本発明の実施形態に含まれる。
【００８５】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行ない、その処理によって前述した実施形態の機能が実現される場合にも本発明に含まれる。
【図面の簡単な説明】
【００８６】
【図１】本発明に係わる実施の形態を示し、表示システムの一例を示す図である。
【図２】一般的なタイリング分割画面の表示例を示す図である。
【図３】初期化動作時の処理手順を説明するフローチャートである。
【図４】実施の形態におけるタイリング分割画面の第１のマルチ画面表示例を示す図である。
【図５】実施の形態におけるタイリング分割画面の第２のマルチ画面表示例を示す図である。
【図６】ザッピング視聴時における分割画面の再配置処理の手順を示すフローチャートである。
【図７】カテゴリ固定の番組配列情報を再配置する際の動作イメージを説明する図である。
【図８】カテゴリフリーの番組配列情報を再配置する際の動作イメージを説明する図である。
【図９】ユーザ指定における分割画面の再配置処理の手順を示すフローチャートである。
【図１０】ユーザ指定における分割画面の再配置する際の動作イメージを示す図である。
【符号の説明】
【００８７】
１  アンテナ（パラボラアンテナ）
２−１、２−２  チューナ部
３−１、３−２  復調部
４−１、４−２  デマルチプレクサ
５−１、５−２  映像デコーダ
６−１、６−２  拡大縮小部
７  メモリ制御部
８  共有メモリ
９  合成部
１０  表示制御部
１１  表示装置
１２  制御部
１３  ROM
１４  RAM
１５  ＯＳＤ生成部
１６  リモコン受光部
１７  リモコン
【図１】
2005167712.tif 000003
【図２】
2005167712.tif 000004
【図３】
2005167712.tif 000005
【図４】
2005167712.tif 000006
【図５】
2005167712.tif 000007
【図６】
2005167712.tif 000008
【図７】
2005167712.tif 000009
【図８】
2005167712.tif 000010
【図９】
2005167712.tif 000011
【図１０】
2005167712.tif 000012